(57)【要約】      （修正有）【課題】端子金具の収容状態において、端子金具がハウジングから離脱することを防止できるジョイントコネクタを提供すること。【解決手段】端子金具２０は、メインハーネス２５０と接続して軸方向Ｌに沿ったメイン接続部２１と、サブハーネス３５０に接続するサブ接続部２２と、メイン接続部２１及びサブ接続部２２を連結し、幅方向Ｗに沿った連結部２３とで構成され、収容空間は、メイン接続部２１を収容するメイン収容空間と、サブ接続部２２を収容するサブ収容空間と、メイン収容空間及びサブ収容空間と連通し、連結部２３を収容する連結部収容空間Ｓｃとで構成され、ハウジング３０は、ベース４０とカバー５０とで構成されるとともに、ベース４０とカバー５０とを固定する被係止部４７及び係止片５７と、連結部収容空間Ｓｃに配置される連結部２３の移動を規制するベース側空間形成壁及び軸方向移動規制部とを備えた。【選択図】図２
2017084580.tif 000002
【特許請求の範囲】
【請求項１】
ワイヤーハーネスが接続される端子金具と、該端子金具を収容する収容空間を有するハウジングとで構成されたジョイントコネクタであって、
前記端子金具は、
メインハーネスが接続される軸方向のメイン接続部と、
サブハーネスが接続される所定方向のサブ接続部と、
前記メイン接続部及び前記サブ接続部を連結し、前記軸方向に交差する交差方向の連結部とで構成され、
前記収容空間は、
前記軸方向に延びるとともに、一方側の端部が開口し、前記メイン接続部を収容するメイン収容空間と、
前記所定方向に延びるとともに、一方側の端部が開口し、前記サブ接続部を収容するサブ収容空間と、
前記交差方向に延びるとともに、前記メイン収容空間及び前記サブ収容空間と連通し、前記連結部を収容する連結部収容空間とで構成され、
前記ハウジングは、
ベースとカバーとで構成されるとともに、
前記ベースと前記カバーとを固定する固定手段と、
前記連結部収容空間に配置される前記連結部の前記軸方向の移動を規制する規制手段とを備えている
ジョイントコネクタ。
【請求項２】
前記ベースと前記カバーとを枢動可能に連結する枢動部を備えた
請求項１に記載のジョイントコネクタ。
【請求項３】
前記所定方向は前記軸方向であり、
前記枢動部が、前記軸方向の他方側に配置された
請求項２に記載のジョイントコネクタ。
【請求項４】
前記ベースに、
前記収容空間と連通するとともに、前記軸方向の他方側に開口し、前記カバーによって閉塞される開口空間が形成され、
前記規制手段は、
前記ベースに設けたベース側規制手段と、前記カバーに設けたカバー側規制手段とで構成されている
請求項１に記載のジョイントコネクタ。
【請求項５】
前記ベースと前記カバーとを枢動可能に連結する枢動部を備えた
請求項４に記載のジョイントコネクタ。
【請求項６】
前記ベースは、略直方体形状であり、
前記開口空間における開口が、前記略直方体形状における前記軸方向の他方側の側面と前記交差方向の側面とに亘って形成され、
枢動軸が前記軸方向及び前記交差方向に直交する向きとなる前記枢動部が前記側面に設けられた
請求項５に記載のジョイントコネクタ。
【請求項７】
請求項１乃至６のうちいずれのジョイントコネクタと、
先端が前記メイン収容空間に配置されるとともに、前記開口から延出された前記メインハーネスとで構成され、
前記メイン接続部と前記メインハーネスとが電気的に接続された
ジョイントコネクタ付ハーネス。
【発明の詳細な説明】
【技術分野】
【０００１】
この発明は、例えば車両に配索するワイヤーハーネスと接続するジョイントコネクタ及びジョイントコネクタにメインハーネスを接続させたジョイントコネクタ付ワイヤーハーネスに関する。
【背景技術】
【０００２】
近年、自動車などには運転の利便性を向上させる多種多様な電子機器類が搭載されている。これらの電子機器類を接続するワイヤーハーネスは、主要回路を構成するメインハーネスと、それ以外の回路を構成するサブハーネスとで構成されている。
【０００３】
前記サブハーネスを車両に配索する場合、例えば、前記サブハーネスを前記メインハーネスに沿って配索し、所定の位置で前記メインハーネスから前記サブハーネスを分岐させて前記電子機器類と接続する。
【０００４】
前記メインハーネスと前記サブハーネスとを分岐させる手段として、例えば、前記メインハーネスと接続可能なメイン接続部及び前記サブハーネスと接続可能なサブ接続部とで一体構成された端子金具と、端子金具を収納する収容空間を有するハウジングとで構成されたジョイントコネクタが特許文献１に開示されている。
【０００５】
詳述すると、特許文献１に記載のジョイントコネクタは、前記ハウジングの収容空間に繋がるとともに前記メインハーネスと前記サブハーネスと延出する開口部と、前記開口部を繋ぐとともに前記端子金具を挿入可能な挿入口とで構成された挿入路に、前記メイン接続部に前記メインハーネスを接続した前記端子金具を挿入して収容するとともに、前記端子金具と前記ハウジングとを係止部で係止することで、前記端子金具を前記ハウジングの内部に係止した状態で収容することができるとされている。そして、収容空間に収容された前記サブ接続部と前記サブハーネスとを接続することで、前記メインハーネスと前記サブハーネスとを分岐することができるとされている。
【０００６】
しかしながら、特許文献１に記載のジョイントコネクタでは、前記ハウジングに収納した前記金属端子と前記ハウジングとが前記係止部で係止されているため、前記係止部が割れたり欠けたりした場合には、前記端子金具は前記挿入路を移動可能となり、前記ハウジングから離脱するおそれがあった。
【先行技術文献】
【特許文献】
【０００７】
【特許文献１】特開２００８−２０４７２０号公報
【発明の概要】
【発明が解決しようとする課題】
【０００８】
この発明は、上述した問題を鑑み、前記端子金具の収容状態において、前記端子金具が前記ハウジングから離脱することを防止できるジョイントコネクタ及びジョイントコネクタ付ワイヤーハーネスを提供することを目的とする。
【課題を解決するための手段】
【０００９】
この発明は、ワイヤーハーネスが接続される端子金具と、該端子金具を収容する収容空間を有するハウジングとで構成されたジョイントコネクタであって、前記端子金具は、メインハーネスが接続される軸方向のメイン接続部と、サブハーネスが接続される所定方向のサブ接続部と、前記メイン接続部及び前記サブ接続部を連結し、前記軸方向に交差する交差方向の連結部とで構成され、前記収容空間は、前記軸方向に延びるとともに、一方側の端部が開口し、前記メイン接続部を収容するメイン収容空間と、前記所定方向に延びるとともに、一方側の端部が開口し、前記サブ接続部を収容するサブ収容空間と、前記交差方向に延びるとともに、前記メイン収容空間及び前記サブ収容空間と連通し、前記連結部を収容する連結部収容空間とで構成され、前記ハウジングは、ベースとカバーとで構成されるとともに、前記ベースと前記カバーとを固定する固定手段と、前記連結部収容空間に配置される前記連結部の軸方向の移動を規制する規制手段とを備えていることを特徴とすることができる。
【００１０】
前記ワイヤーハーネスは、主要回路に配索されるメインハーネスと、車種や仕様などに応じて追加する電子機器類と接続するサブハーネスとで構成されている。  
前記メインハーネス及び前記サブハーネスは、電気回線を導通する導線を絶縁樹脂で被覆した被覆電線を複数本束ねて形成される前記被覆電線の束や、単線である前記被覆電線を含む。
【００１１】
また、前記メインハーネス及び前記サブハーネスは、それぞれ１本である場合や複数本ある場合、１本と複数本との組み合わせた場合を含む。  
なお、前記サブハーネスは、例えば、仕様に応じてオプションとして追加した電子機器類を接続して付加回路を構成するサブハーネスや、主要回路とは異なるが、一般に車両に設けられている回路を構成するサブハーネスなどを含む。
【００１２】
上述のメインハーネスが接続されるとは、前記メインハーネスと前記端子金具とが電気的に接続される状態をさし、具体的には、前記メインハーネスを構成する導線と前記端子金具とを溶接して接続される場合、圧着して接続される場合や、ハンダ付により接続される場合などを含む。  
なお、溶接して接続する方法には、超音波溶接やアーク溶接、スポット溶接、レーザー溶接などを含む。
【００１３】
前記サブ接続部は、前記サブハーネスと電気的に接続できればどのような形状であっても良く、例えば前記サブハーネスに接続された接続端子と嵌合することで接続する形状や、係止することで接続する形状などを含む。具体的には、前記接続端子が雌型端子である場合には、前記サブ接続部が雄型端子であり、前記接続端子が雄型端子である場合には、前記サブ接続部が雌型端子である。
【００１４】
より具体的には、前記接続端子がボックス型端子ある場合には、前記サブ接続部は前記ボックス型端子と電気的に接続するピン型形状であり、前記接続端子がピン型端子ある場合には、前記サブ接続部は前記ピン型端子と電気的に接続するボックス型の形状である。
【００１５】
前記固定手段とは、前記ベースと前記カバーとを着脱可能に固定する固定手段をさす。すなわち、前記ベースと前記カバーとの間に意図しない外力が作用した場合であっても取付け状態を維持することができるとともに、意図的な外力の作用によって取付け状態を解除することができる固定手段をさす。
【００１６】
具体的には、係止により前記ベースと前記カバーとを固定する係止部や、圧入により固定する固定手段、嵌合により固定する嵌合部、ゴムや紐などの他部材を取付けることにより固定する固定手段などを含む。
【００１７】
前記規制手段は、前記ベースにのみ設けられている場合や前記カバーにのみ設けられている場合、前記ベースとカバーとが協働して前記連結部の前記軸方向の移動を規制する構成である場合を含む。
【００１８】
この発明により、前記端子金具の収容状態において、前記端子金具が前記ハウジングから離脱することを確実に防止できる。  
詳述すると、前記端子金具の収容状態において、前記交差方向の前記連結部が、前記連結部収容空間に配置されるとともに、前記規制手段によって前記軸方向の移動が規制される。また、前記ベースに前記カバーを取り付けて固定することで、前記端子金具を収容する収容口が封鎖されることとなる。このため、前記端子金具が前記ハウジングから離脱することを確実に防止できる。
【００１９】
また、前記ハウジングは、前記ベースと前記カバーとを前記固定手段で固定できる構成であるため、前記カバーを前記ベースから取り外してから前記端子金具を前記ベースに収容できる。すなわち、前記ハウジングの内部構造を確認しながら前記端子金具を収容できる。したがって、前記端子金具を前記規制手段に規制させて前記連結部収容空間に収容することができるため、前記端子金具を確実に前記ハウジングに収納することができるとともに、ジョイントコネクタ付ワイヤーハーネスの製造の作業性を向上することができる。
【００２０】
さらに、前記ベースから前記カバーを取り外して前記端子金具を収容することができるため、前記端子金具を収容するための挿入口を前記ハウジングに設ける必要がない。すなわち、前記ハウジングの開口部分を削減でき、前記ハウジングの防水性や防塵性を向上することができる。
【００２１】
この発明の態様として、前記ベースと前記カバーとを枢動可能に連結する枢動部を備えることができる。  
前記枢動部は、前記交差方向を回転軸として枢動する枢動部や、前記軸方向を回転軸として枢動する枢動部、前記交差方向及び前記軸方向と直交する直交軸を回転軸として枢動する枢動部などを含む。すなわち、前記ベースと前記カバーとを枢動して固定できればどのような位置に枢動部が設けられても構わない。
【００２２】
なお、前記枢動部は、前記ベースと前記カバーと一体として連結する場合や、前記ベース及び前記カバーの一方に設けた枢支部と、他方に設けた被枢支部とを組み合わせた構成の枢動部、前記ベースと前記カバーとは別体で構成された枢動部を含む。
【００２３】
この発明により、前記カバーと前記ベースとを相対的に枢動するため、前記ベースと前記カバーとを確実に固定手段の位置に移動することができる。したがって、前記ベースとカバーとを容易かつ確実に固定できる。  
また、例えば前記枢動部と前記ベースと前記カバーとを一体として構成した場合には、部品点数を削減することができる。
【００２４】
またこの発明の態様として、前記所定方向は前記軸方向であり、前記枢動部が、前記軸方向の他方側に配置されることを特徴とすることができる。  
上述の前記所定方向は前記軸方向とは、前記メイン収容空間と前記サブ収容空間とが同一方向に形成されることをさす。すなわち、前記メイン収容空間及び前記サブ収容空間の開口がそれぞれ前記軸方向の一方側に形成されることをさす。
【００２５】
この発明により、前記ハウジングの前記軸方向の一方側に開口が形成されるとともに、前記ハウジングの前記軸方向の他方側に前記枢動部が形成されるため、軸方向の一方側が大きく開口させることができ、より容易かつ確実に前記端子金具を前記端子金具収容空間に収容することができる。
【００２６】
またこの発明の態様として、前記ベースに、前記収容空間と連通するとともに、前記軸方向の他方側に開口し、前記カバーによって閉塞される開口空間が形成され、前記規制手段を、前記ベースに設けたベース側規制手段と、前記カバーに設けたカバー側規制手段とで構成することができる。
【００２７】
この発明により、前記端子金具が前記ハウジングから抜け出ることを確実に防止することができる。  
詳述すると、前記メインハーネスを接続した前記端子金具を、前記軸方向の一方側の端部に設けた開口から前記開口空間に引き出すことができ、引き出された前記連結部を前記軸方向の他方側から前記連結部収容空間に収容できるとともに、前記ベース側規制手段により軸方向の一方側の移動を規制することができる。したがって、前記端子金具が前記ハウジングの前記軸方向の一方側から抜け出ることをより確実に防止できる。
【００２８】
また、前記開口空間を前記カバーで閉塞することにより、前記端子金具の軸方向の他方側への移動をカバー側規制手段で規制することができ、前記端子金具を前記軸方向の他方側から抜け出ることを防止できる。
【００２９】
さらにまた、前記カバーの大きさを前記ベースの大きさと同じ大きさとする必要がないため、狭いスペースに配置された前記ジョイントコネクタであっても前記カバーを取り外すことができる。
【００３０】
またこの発明の態様として、前記ベースと前記カバーとを枢動可能に連結する枢動部を備えることができる。  
この発明により、前記カバーと前記ベースとを相対的に枢動することで前記ベースと前記カバーとを固定することができる。すなわち、容易かつ確実に前記ベースと前記カバーとを固定することができる。
【００３１】
またこの発明の態様として、前記ベースは、略直方体形状であり、前記開口空間における開口が、前記略直方体形状における前記軸方向の他方側の側面と前記交差方向の側面とに亘って形成され、枢動軸が前記軸方向及び前記交差方向に直交する向きとなる前記枢動部が前記側面に設けられたことを特徴とすることができる。
【００３２】
この発明により、容易に変形しない強固なハウジングを形成することができる。  
詳述すると、前記ベースは前記軸方向の他方側の側面と前記交差方向の側面とに亘って開口が形成された略直方体形状を構成されている。一方で、前記カバーは前記開口を閉塞することから、前記ベースの前記開口空間を前記カバーで閉塞した閉塞状態において、前記カバーが前記軸方向の他方側の側面と前記交差方向の側面に対応する二面を形成することとなる。
【００３３】
したがって、ベースにカバーと取付けることにより強固なハウジングを形成し、前記閉塞状態において前記ハウジングに外力が作用した場合であっても前記ハウジングが変形することを防止でき、前記ハウジングに隙間ができることを防止できるとともに、前記ベースと前記カバーとが開くことを防止できる。
【００３４】
またこの発明は、前記ジョイントコネクタと、先端が前記メイン収容空間に配置されるとともに、前記開口から延出された前記メインハーネスとで構成され、前記メイン接続部と前記メインハーネスとが電気的に接続されたジョイントコネクタ付ハーネスとすることができる。
【００３５】
この発明により、前記メインハーネスと電気的に接続された前記サブ接続部に、後から前記サブハーネスを容易に接続することができる。したがって、前記メインハーネスを接続した場所と異なる場所で前記サブハーネスを接続することができるため、例えば、主要回路を形成するメインハーネスと接続した前記ワイヤーハーネス付ジョイントコネクタを組み立てた後に、仕様に応じたサブハーネスを組付ける工場などに搬送し、前記サブハーネスを前記ワイヤーハーネス付ジョイントコネクタに接続することができる。
【００３６】
したがって、前記ワイヤーハーネス付ジョイントコネクタに前記サブハーネスを容易に接続できるとともに、事前に前記ワイヤーハーネス付ジョイントコネクタに前記サブハーネスを接続した製品とする必要が無く、管理コストや製造コストを削減することができる。
【発明の効果】
【００３７】
この発明により、前記端子金具の収容状態において、前記端子金具が前記ハウジングから離脱することを確実に防止できるジョイントコネクタ及びジョイントコネクタ付ワイヤーハーネスを提供することができる。
【図面の簡単な説明】
【００３８】
【図１】第１実施形態のジョイントコネクタ付ワイヤーハーネスの概略斜視図。
【図２】第１実施形態のジョイントコネクタ付ワイヤーハーネスの分解概略斜視図。
【図３】第１実施形態の端子金具の説明図。
【図４】第１実施形態のハウジングの説明図。
【図５】第１実施形態のハウジングの説明図。
【図６】第１実施形態の端子金具を収納したハウジングの説明図。
【図７】第２実施形態のジョイントコネクタ付ワイヤーハーネスの説明図。
【図８】第２実施形態のジョイントコネクタ付ワイヤーハーネスの分解概略斜視図。
【図９】第２実施形態の端子金具の説明図。
【図１０】第２実施形態のハウジングの説明図
【図１１】第２実施形態の端子金具をハウジングに取り付ける取り付けの説明図。
【発明を実施するための形態】
【００３９】
（第１実施形態）  
図１はベース４０とカバー５０とが閉じた閉塞状態におけるジョイントコネクタ付ワイヤーハーネス１の概略斜視図を示し、図２はジョイントコネクタ付ワイヤーハーネス１の分解斜視図を示し、図３は端子金具２０の構成の説明図を示す。図３について詳述すると、図３（ａ）は端子金具２０の平面図を示し、図３（ｂ）は端子金具２０の正面図を示す。
【００４０】
図４は、ハウジング３０の説明図を示しており、詳しくは、図４はハウジング３０を構成するベース４０の平面図とカバー５０の底面図を示している。図５はベース４０及びカバー５０の正面図を示しており、図５（ａ）はベース４０及びカバー５０のそれぞれの正面図を示し、図５（ｂ）はハウジング３０の正面図を示す。
【００４１】
図６は、ハウジング３０の構成であるベース４０に端子金具２０を収納した状態の説明図を示し、図６（ａ）は端子金具２０が収納されたベース４０の概略斜視図を、図６（ｂ）は平面図を示す。
【００４２】
ここで、図１において、ハウジング３０の長手方向を軸方向Ｌとし、ハウジング３０の短手方向を幅方向Ｗとする。そして、ハウジング３０の高さに沿った方向を高さ方向Ｈとする。なお、軸方向Ｌと幅方向Ｗと高さ方向Ｈとは互いに直交するものとする。  
なお、幅方向Ｗは軸方向Ｌに交差する方向に対応する。
【００４３】
また、図１において、軸方向Ｌに沿って右を先端とするとともに左を後端とし、同様に、幅方向Ｗに沿って右を手前とするとともに左を奥とする。そして、図１において、高さ方向Ｈに沿って上側を上方、下側を下方とする。  
なお、この軸及び方向は、図２乃至図６においても同様とする。
【００４４】
ジョイントコネクタ付ワイヤーハーネス１は、図１に示すように、ジョイントコネクタ１０とメインハーネス２５０とで構成する。  
ジョイントコネクタ１０は、図２に示すように、ワイヤーハーネス１００と接続可能な端子金具２０と、端子金具２０を収容するハウジング３０とで構成する。
【００４５】
まず、端子金具２０と接続するワイヤーハーネス１００について、図２に基づいて簡単に説明する。  
ワイヤーハーネス１００は、メインハーネス２５０と、メインハーネス２５０の幅方向Ｗの両側を並走する２本のサブハーネス３５０とで構成されている。
【００４６】
メインハーネス２５０は、絶縁性樹脂２６１で銅製の導線２６２を被覆した４本の被覆電線２６０と、被覆電線２６０の先端側の絶縁樹脂２６１をはがして露出させた導線２６２をそれぞれ束ねた導線束２５１とで構成する。なお、導線束２５１を構成する被覆電線の本数は問わないが、２本以上であることが好ましい。
【００４７】
なお、本実施形態において、被覆電線２６０は、高い導電率を有する銅で構成されているが、必ずしも銅である必要はなく、導電性を有していればどのような材質であってもよく、例えばアルミニウム系金属などであってもよい。また、被覆電線２６０の導線２６２の材質が異なる電線を組み合わせてメインハーネス２５０を構成してもよい。
【００４８】
サブハーネス３５０は、ジョイントコネクタ付ワイヤーハーネス１に接続して付加回路を構成する導線であり、被覆電線２６０と同様に、絶縁性樹脂３６０で導電性を有する銅製の導線（図示省略）を被覆した構成をしており、サブハーネス３５０の先端には、接続端子４５０が接続されている。
【００４９】
接続端子４５０は、導電性を有する銅で構成された圧着端子であり、サブハーネス３５０の先端側の絶縁性樹脂３６０をはがして露出させた導線（図示省略）を圧着接続する圧着部４６０と、圧着部４６０から先端側に延びる略板状のトランジション部４７０と、トランジション部４７０の先端側に配置されたボックス部４８０とが軸方向Ｌに沿ってこの順で一体として構成している。
【００５０】
ボックス部４８０は、略直方体形状の筐体であって、内部が中空であるとともに、上面の幅方向Ｗの端部には上方に立設する接続端子案内部４８１が設けられている。また、ボックス部４８０の先端側には内部に向けて折り返されている接続片４８２が形成されている。  
なお、接続片４８２は弾性を有しており、ボックス部４８０の内部に挿入された後述するサブ接続部２２を、ボックス部４８０の底面（図示省略）と接続片４８２とで挟持して固定する（図示省略）。
【００５１】
端子金具２０は、銅で構成されており、軸方向Ｌに延びるメイン接続部２１と、メイン接続部２１の幅方向Ｗ両側おいて所定の距離離れて並走する２本のサブ接続部２２と、メイン接続部２１及びサブ接続部２２の軸方向Ｌ先端側端部を連結する連結部２３とで一体として構成されている。
【００５２】
なお、本実施形態において、端子金具２０の材料を銅としているが、導電性を有すれば銅に限定する必要はなく、例えば銅合金やアルミ合金、銀などを材質であってもよい。
【００５３】
メイン接続部２１は、軸方向Ｌに沿って延びた板状体である接続ベース２１０と、接続ベース２１０の軸方向Ｌ手前側には導線束２５１と接続して固定する第一接続帯２１１と第二接続帯２１２とで構成されている。なお、第一接続帯２１１と第二接続帯２１２とは、軸方向Ｌの後端側から先端側に向けてこの順番で構成されている。
【００５４】
第一接続帯２１１は、図３（ｂ）に示すように、接続ベース２１０の幅方向Ｗの手前側端部から正面から見て斜め上方に向けて延びており、第一接続帯２１１と接続ベース２１０との結合部分が円弧上に形成されている。なお、第一接続帯２１１は、導線束２５１の円周の３分の２程度の長さである。
【００５５】
同様に、第二接続帯２１２は、図３（ｂ）に示すように、接続ベース２１０の幅方向Ｗの奥側端部から正面から見て斜め上方に向けて延びるとともに、接続ベース２１０との結合部分が円弧状に形成されている。なお、第一接続帯２１２は、第一接続帯２１１と同様に、導線束２５１の円周の３分の２程度の長さを有している。
【００５６】
サブ接続部２２は、図３（ａ）に示すように、軸方向Ｌの後端が面取りされた板状体であり、軸方向Ｌに沿って延びている。また、サブ接続部２２は後述する連結部２３の上面に配置しているため、メイン接続部２１と比べての連結部２３の板厚分上方に配置されている（図３（ｂ）参照）。なお、サブ接続部２２の軸方向Ｌに対する長さは、メイン接続部２１の半分程度である。
【００５７】
連結部２３は、幅方向Ｗに沿って延びる平面視長方形状の板状体であり、両端が軸方向Ｌの後端側に向けてわずかに突出している形状である（図３（ａ）参照）。連結部２３の中央部分の先端側端部がメイン接続部２１と連結しているとともに、両端の上面にはサブ接続部２２の先端側が当接されている。
【００５８】
ハウジング３０は、図１及び図２に示すように、軸方向Ｌの後端側にメインハーネス２５０が延出するメイン開口３２を有し、メイン開口３２の幅方向Ｗの両側にはサブハーネスを挿入するサブ開口３３を有する。またハウジング３０は、正面から見て中央部分が上方に突出した凸状の箱体であり（図５（ｂ）参照）、箱体の下方を形成するベース４０と、上方を形成するカバー５０とで構成しており、ヒンジ３１を介して枢動可能に連結している。
【００５９】
ヒンジ３１は、図１及び図２に示すように、ベース４０とカバー５０とが閉じた閉塞状態における軸方向Ｌの先端部位において、ベース４０とカバー５０とを一体として連結するヒンジであり、幅方向Ｗに沿って形成されている。  
なお、以下において、ベース４０とカバー５０とが開いた状態を開放状態とする。
【００６０】
ベース４０は、図２及び図４に示すように、上面が開口した箱状体であり、底面を形成するベース底面４１と、幅方向Ｗの手前側の側面を構成するベース手前側面４２と、軸方向Ｌの後端側の側面を構成するベース後端側面４３と、幅方向Ｗの手前側の側面を構成するベース奥側面４４とが一体で構成されている。
【００６１】
ベース底面４１は、図４に示すように、幅方向Ｗの長さが連結部２３の幅方向Ｗの長さよりも一回り大きい板状体であり、幅方向Ｗの中央部分に軸方向Ｌに沿って先端から後端に延びる長方形状のベース側空間形成壁４５と、後端から先端に僅かに延びる軸方向移動規制部４６とが、幅方向Ｗに所定の間隔を隔てて２つ形成されている。
【００６２】
ベース側空間形成壁４５は、ベース手前側面４２及びベース奥側面４４と同じ板厚を有しており、その高さはベース手前側面４２よりもわずかに低い構成である。また、軸方向Ｌの長さは接続ベース２１０と同じ長さである。なお、ベース側空間形成壁４５同士の間隔は接続ベース２１０の幅よりも一回り大きく、ベース手前側面４２及びベース奥側面４４とベース側空間形成壁４５との間隔はサブ接続部２２の幅方向Ｗの長さよりも一回り大きい。
【００６３】
軸方向移動規制部４６は、図４及び図５に示すように、ベース後端側面４３の先端側壁面から先端側に突出する突出部であり、その幅がベース手前側面４２の幅と同じ長さであるとともに、その高さがベース手前側面４２の高さよりもわずかに低くなっている。また、軸方向移動規制部４６は、ベース側空間形成壁４５と軸方向Ｌに所定の間隔を隔てて対向しており、その間隔は連結部２３の軸方向Ｌの長さと同じ長さである。
【００６４】
ベース手前側面４２とベース奥側面４４は、ベース底面４１の幅方向Ｗの両端から立設する壁面であり、その軸方向Ｌの長さはメイン接続部２１の軸方向Ｌの長さと等しく、その高さは連結部２３の高さの約２倍である。  
なお、ベース手前側面４２及びベース奥側面４４の上面は、内側が高さ方向Ｈの上方側に僅かに窪んだ凹部４２１及び凹部４４１が軸方向Ｌに沿って形成されている。
【００６５】
また、ベース手前側面４２及びベース奥側面４４の後端側には、幅方向Ｗの外側に突出している被係止部４７が設けられている。  
被係止部４７は、図４及び図５（ａ）に示すように、ベース手前側面４２及びベース奥側面４４の先端側上面から所定の間隔を隔てて外向きに突出する２本の被係止枠４７１と、被係止枠４７１の幅方向Ｗの外側端部とを連結する被係止面４７２とで一体に構成されている。
【００６６】
被係止枠４７１は、板厚がベース手前側面４２と同じ厚さである板状体であり、図５（ａ）に示すように、ベース手前側面４２と平行である二辺と、ベース手前側面４２と垂直である二辺とで構成される高さ方向Ｈに長い平面視長方形状をしている。
【００６７】
被係止面４７２は、図５（ａ）に示すように、被係止枠４７１同士を架設する正面略五角形状の板状体であり、幅方向Ｗ内側の高さが被係止枠４７１の高さと同じであり、幅方向Ｗの外側の高さがベース手前側面４２の４分の１程度の長さである。また、被係止面４７２とベース手前側面４２との間隔は、ベース手前側面４２の厚さよりもわずかに大きい。
【００６８】
ベース後端側面４３は、ベース底面４１の後端部から立設する側面であり、高さ及び幅がベース手前側面４２の高さ及び幅と同じである。また、ベース後端側面４３の上端にはベース４０とカバー５０とを一体に連結するヒンジ３１が形成されている。
【００６９】
カバー５０は、図２及び図５（ａ）に示すように、底面側が開口するとともに正面視で中央部分が上方に突出した箱体であり、上面を形成するカバー上面部５１と、幅方向Ｗの手前側に形成されるカバー手前側面５２と、ヒンジ３１と連結するカバー後端側面５３と、幅方向Ｗの置く側に形成されるカバー奥側面５４とで一体に構成されている。
【００７０】
カバー上面部５１は、図４（ｂ）に示すように、正面から見て幅方向Ｗの中央部分の上方の上面であるメイン上面５１１と、メイン上面５１１の幅方向Ｗの両端側であってメイン上面５１１の下方に位置するサブ上面５１２とで構成する。なお、サブ上面５１２の高さは、カバー手前側面５２の下端面に対するメイン上面５１１の高さの半分程度である。  
また、メイン上面５１１の幅方向Ｗの両端部からカバー手前側面５２及びカバー奥側面５４の下端面が形成する仮想面まで下方に垂直に下したカバー空間形成壁５５が構成されている。
【００７１】
また、サブ上面５１２の内壁には、接続端子案内部４８１と同じ高さのくぼみである案内凹部５６が形成されている。なお、この案内凹部５６の幅は接続端子案内部４８１の幅方向Ｗの長さよりも若干長い構成であり、ボックス部４８０の挿入を案内する。
【００７２】
カバー手前側面５２及びカバー奥側面５４は、サブ上面５１２の幅方向Ｗの外側端部から下方に垂直に下した側面であり、その高さはベース手前側面４２の高さの２倍程度である。また、カバー手前側面５２及びカバー奥側面５４の下端面の内側には、ハウジング３０の閉塞状態において、嵌合凹部４２１及び嵌合凹部４４１と嵌合する嵌合凸部５２１及び嵌合凸部５４１が形成されている。
【００７３】
また、カバー手前側面５２及びカバー奥側面５４の後端側外壁には略垂直に下した係止片５７が形成されている（図５（ａ）参照）。  
係止片５７は、カバー手前側面５２及びカバー奥側面５４の下端部分の側面に設けられた下方に延びる支持板５７１と、支持板５７１の下端部分から外向きに突出する係止突部５７２とで構成しており、内側方向への力が作用した場合に内側に撓むことができる程度の弾性を有している。
【００７４】
支持板５７１の長さは、図５に示すように、被係止枠４７１高さ方向Ｈの長さと略同一の長さであり、軸方向Ｌに沿った長さは、被係止枠４７１同士の間隔と略同一の長さである。
【００７５】
係止突部５７２は、支持板５７１の下端側面から外側方向に垂直に突出する突出部であり、正面視で係止部上面がカバー上面部５１と平行であるとともに、下方に向けて先細りする略直角三角形状に形成している。なお係止突部５７２の下端側は、わずかに丸みを帯びた形状をしているため、係止片５７と係合する被係止部４７の損傷を防止できる。
【００７６】
このような構成を有するベース４０とカバー５０は、ヒンジ３１を枢動軸としてカバー５０をベース４０側に枢動させることで、ベース手前側面４２及びベース奥側面４４の上面が、カバー手前側面５２及びカバー奥側面５４の下面と当接するように配置される。この際、嵌合凹部４２１及び嵌合凹部４４１に嵌合凸部５２１及び嵌合凸部５４１が嵌合することとなる。また、ベース側空間形成壁４５の上面とカバー空間形成壁５５の下面とが当接するとともに、係止片５７が被係止部４７と係合することでベース４０とカバー５０とを固定し、ハウジング３０の軸方向Ｌの先端側のみに開口を有する閉塞状態を形成することができる。
【００７７】
ハウジング３０の閉塞状態において、所定の間隔を隔てて設けたベース側空間形成壁４５と、ベース側空間形成壁４５と接するカバー空間形成壁５５と、ベース底面４１と、メイン上面５１１と、ベース後端側面４３と、カバー後端側面５３とで、メインハーネス２５０を接続するメイン接続部２１を収納するメイン収容空間Ｓｍを形成するとともに、その先端側にはメインハーネス２５０を延出するメイン開口３２が形成される（図５（ｂ）参照）。
【００７８】
同様に、図５（ｂ）に示すように、ベース手前側面４２及びベース奥側面４４と、ベース側空間形成壁４５と、ベース底面４１と、サブ上面５１２と、ベース後端側面４３及びカバー後端側面５３とで、サブハーネス３５０の先端側に配置された接続端子４５０を挿入して接続するサブ接続部２２を収納するサブ収容空間Ｓａを形成するとともに、その先端側にはサブハーネス３５０の挿入を許容するサブ開口３３が形成される。  
さらに、図２に示すように、ベース側空間形成壁４５と軸方向移動規制部４６とが対向する位置には連結部２３を収容する連結部収容空間Ｓｃがそれぞれ形成される。
【００７９】
このような構成を有する端子金具２０及びハウジング３０を組み付ける方法について、以下で簡単に説明する。  
まず初めに、第一接続帯２１１及び第二接続帯２１２を導線束２５１に巻きつけ可能な位置となるように導線束２５１をメイン接続部２１上に配置し、第一接続帯２１１及び第二接続帯２１２を巻きつけて軽く圧接する。そして、圧接された第一接続帯２１１及び第二接続帯２１２と導線束２５１とを、図示しない超音波溶接装置を用いて超音波溶接することで、メインハーネス２５０とメイン接続部２１とを接合する（図２参照）。
【００８０】
次に、このようにメインハーネス２５０と接合したメイン接続部２１をハウジング３０に配置する。  
詳述すると、ハウジング３０を構成するベース４０とカバー５０とをヒンジ３１を回転軸として相対的に枢動させて、図２に記載するようにハウジング３０を開放状態とする。
【００８１】
そして、図６に示すように、メイン接続部２１が所定の間隔を隔てたベース側空間形成壁４５同士の間に配置されるように端子金具２０の向きを合わせて、連結部２３をベース側空間形成壁４５と軸方向移動規制部４６との間に配置する。すなわち、メイン接続部２１がベース側空間形成壁４５同士の間に配置されるように、連結部２３を連結部収容空間Ｓｃに収容する。
【００８２】
そして、カバー５０をベース４０側に枢動し、係止片５７を被係止部４７に係止させてベース４０とカバー５０固定し、ハウジング３０の閉塞状態とする。  
この閉塞状態のハウジング３０は、連結部２３が連結部収容空間Ｓｃに収容されるとともに、メイン接続部２１と接合したメインハーネス２５０がメイン収容空間Ｓｍに収容されることとなる。
【００８３】
この状態で、接続端子案内部４８１が案内凹部５６に沿うように開口３２からボックス部４８０を挿入することで、サブ接続部２２と接続片４８２と嵌合して強固に接続できるとともに、サブ収容空間Ｓａにボックス部４８０を収納することができる。
【００８４】
このように、ワイヤーハーネス１００が接続される端子金具２０と、端子金具２０を収容する収容空間を有するハウジング３０とで構成されたジョイントコネクタ１０であって、端子金具２０は、メインハーネス２５０が接続される軸方向Ｌに沿ったメイン接続部２１と、サブハーネス３５０が接続することができるサブ接続部２２と、メイン接続部２１及びサブ接続部２２を連結し、軸方向Ｌに交差する幅方向Ｗに沿った連結部２３とで構成され、収容空間は、軸方向Ｌに延びるとともに、一方側の端部が開口したメイン接続部２１を収容するメイン収容空間Ｓｍと、サブ接続部２２を収容するサブ収容空間Ｓａと、幅方向Ｗに延びるとともに、メイン収容空間Ｓｍ及びサブ収容空間Ｓａと連通し、連結部２３を収容する連結部収容空間Ｓｃとで構成され、ハウジング３０は、ベース４０とカバー５０とで構成されるとともに、ベース４０とカバー５０とを固定する被係止部４７及び係止片５７と、連結部収容空間Ｓｃに配置される連結部２３の軸方向の移動を規制するベース側空間形成壁４５及び軸方向移動規制部４６とを備えていることを特徴とすることにより、端子金具２０の収容状態において、端子金具２０がハウジング３０から離脱することを確実に防止できる。
【００８５】
詳述すると、端子金具２０をベース４０に収容した収容状態において、連結部２３が、連結部収容空間Ｓｃに配置されるとともに、ベース側空間形成壁４５及び軸方向移動規制部４６によって軸方向Ｌへの移動が規制される。また、被係止部４７及び係止片５７を係合させてベース４０とカバー５０とを固定することで、端子金具２０を収容する収容経路が封鎖されることとなる。このため、ハウジング３０から端子金具２０が離脱することを確実に防止できる。
【００８６】
また、メイン接続部２１がメイン収容空間Ｓｍに収容され、サブ接続部２２がサブ収容空間Ｓａに収容されているため、メイン接続部２１と接続したメインハーネス２５０の先端側（導線束２５１）及びサブハーネス３５０の先端側と接続する接続端子４５０とが、それぞれメイン接続部２１及びサブ接続部２２と強固に接続された状態でハウジング３０の内部に配置されていることとなる。このため、ジョイントコネクタ付ワイヤーハーネス１を例えば車両などに組み付けた状態において、ジョイントコネクタ１０からワイヤーハーネス１００が外れることがない。
【００８７】
その一方で、ジョイントコネクタ付ワイヤーハーネス１は、端子金具２０に接続したサブハーネス３５０と端子金具２０との接続状態を容易に解除することができる。  
詳述すると、ハウジング３０は、被係止部４７と係止片５７とで固定したベース４０とカバー５０との固定を意図的に解除できる構成であるため、固定状態を解除した、容易にベース４０から端子金具２０を取り外すことができる。すなわち、サブハーネス３５０が接続された状態の端子金具２０をハウジング３０から取り外すことができるため、端子接続部４５０がハウジング内に収納されている場合に比べて、容易に端子金具２０とサブハーネス３５０との接続を解除することができる。
【００８８】
すなわち、製造中の誤配線、グレードの変更や故障などによりサブハーネス３５０を取り換えたい場合などに、サブ接続部２２と接続したサブハーネス３５０を端子金具２０から容易に取り外すことができるため、サブハーネス３５０の取り換えを容易に行うことができる。
【００８９】
このように、実施形態１のジョイントコネクタ１０は、端子金具２０がハウジング３０から離脱することを防止できるとともに、端子金具２０をハウジング３０から容易に取り外せるといった二つの相反する効果を達成することができる。
【００９０】
さらにまた、ハウジング３０は、ベース４０とカバー５０とで固定できる構成としているため、ベース４０とカバー５０との固定を解除してから、端子金具２０をベース４０に収容できる。すなわち、ベース４０の内部構造を確認しながら端子金具２０を収容できる。したがって、ジョイントコネクタ付ワイヤーハーネス１の製造の作業性を向上することができる。
【００９１】
さらに、ベース４０からカバー５０を取り外してから端子金具２０を収容することができるため、端子金具２０を収容するための挿入口をハウジング３０に設ける必要がない。すなわち、ハウジング３０の開口部分を削減できる。したがって、ハウジング３０の防水性や防塵性を向上することができる。
【００９２】
このように実施形態１に記載のジョイントコネクタ１０は、端子金具２０の収容状態において、端子金具２０がハウジング３０から離脱することを確実に防止できるだけでなく、容易に端子金具２０をハウジング３０に収容することができるとともに、ハウジング３０の防水性や防塵性を向上することができる。
【００９３】
また、ベース４０とカバー５０とを枢動可能に連結するヒンジ３１を備えることにより、カバー５０の係止片５７をベース４０の被係止部４７の位置に確実に移動することができるため、ベース４０とカバー５０とを容易に固定できるとともに、ベース４０とカバー５０とが所望の位置で固定できるようにできる。したがって、ベース４０とカバー５０とを容易かつ確実に固定できる。  
さらに、ヒンジ３１とベース４０とカバー５０とを一体として構成しているため、部品点数を削減することができる。
【００９４】
さらにまた、サブ接続部２２が軸方向Ｌに沿った構成とし、ヒンジ３１が、軸方向Ｌの先端側に配置されることを特徴とすることにより、ハウジング３０の軸方向Ｌの後端側に開口が形成されるとともに、ハウジング３０の軸方向Ｌの先端側にヒンジ３１が形成されるため、ヒンジ３１と開口とが重複する位置に形成されることがなく、ヒンジ３１の強度が弱くなることを防止でき、ベース４０とカバー５０とが枢動方向に捩れることを防止できる。  
したがって、より容易かつ確実にベース４０とカバー５０とを固定することができる。
【００９５】
さらにまた、ジョイントコネクタ付ワイヤーハーネス１を、ジョイントコネクタ１０と、先端がメイン収容空間Ｓｍに配置されるとともに、メイン接続部２１と電気的に接続されるとともに、メイン開口３２から延出されたメインハーネス２５０とで構成することより、サブハーネス３５０を容易にジョイントコネクタ付ワイヤーハーネス１に接続することができる。
【００９６】
このように、メインハーネス２５０を接続した場所と異なる場所でサブハーネス３５０をワイヤーハーネス付ジョイントコネクタ１に接続することができるため、例えば、主要回路を形成するメインハーネス２５０と接続したワイヤーハーネス付ジョイントコネクタ１を組み立てた後に、仕様に応じた工場などに搬送し、サブハーネス３５０をワイヤーハーネス付ジョイントコネクタ１に接続することができる。
【００９７】
したがって、容易にサブハーネス３５０をワイヤーハーネス付ジョイントコネクタ１に接続できるとともに、製造のための管理や製造コストを削減することができる。
【００９８】
さらにまた、メインハーネス２５０のメイン接続部２１は、通常ジョイントキャップなどで保護されるが、本実施形態においては、メイン接続部２１がジョイントコネクタの一部を構成しているため、ジョイントキャップを省略することができ、ワイヤーハーネス全体としての部品点数を削減することができる。
【００９９】
（第２実施形態）  
次に、図７乃至図１１に基づいて、他の実施形態であるジョイントコネクタ付ワイヤーハーネス１ａについて説明する。  
なお、以下で説明するジョイントコネクタ付ワイヤーハーネス１ａの構成のうち、上述のジョイントコネクタ付ワイヤーハーネス１と同様の構成については、同一の符号を付して、その説明を省略する。
【０１００】
図７は、他の実施形態であるジョイントコネクタ付ワイヤーハーネス１ａの概略斜視図を示し、図８はジョイントコネクタ付ワイヤーハーネス１ａを分解した状態の概略斜視図を示しており、詳述すると図８（ａ）はジョイントコネクタ付ワイヤーハーネス１ａの分解概略斜視図を示し、図８（ｂ）はジョイントコネクタ付ワイヤーハーネス１ａの構成であるベース６０を背面側から見た斜視図を示す。
なお、図８（ａ）において、内部の構造を明確にするためにベース６０のベース上面６３の一部を省いている。
【０１０１】
図９はメインハーネス２５０と接合した端子金具２０ａの説明図を示しており、詳述すると図９（ａ）はメインハーネス２５０と接合した端子金具２０ａの概略斜視図を示し、図９（ｂ）は端子金具２０の背面図を示す。図１０を詳しく説明すると、図１０（ａ）はハウジング３０ａを構成するベース６０とカバー７０とを開放した状態での正面図を示し、図１０（ｂ）はベース６０とカバー７０とを開放した状態での背面図を示す。
【０１０２】
図１１は、図７に記載するＡ−Ａ線で切断したＡ−Ａ断面図を用いて、メインハーネス２５０を接合した端子金具２０ａをハウジング３０ａに装着する手順を示した説明図であり、図１１（ａ）は端子金具２０ａをベース６０に挿入する前のＡ−Ａ断面図を、図１１（ｂ）は端子金具２０ａをベース６０に挿通した状態のＡ−Ａ断面図を、図１１（ｃ）は端子金具２０ａをベース６０に配置した状態のＡ−Ａ断面図を、図１１（ｄ）はカバー７０をベース６０側に枢動下後のＡ−Ａ断面図をそれぞれ示す。
【０１０３】
ここで、図７において、ハウジング３０ａの長手方向を軸方向Ｌとし、ハウジング３０ａの幅に沿った方向を幅方向Ｗとする。そして、ハウジング３０ａの高さに沿った方向を高さ方向Ｈとする。なお、軸方向Ｌと幅方向Ｗと高さ方向Ｈとは互いに直交するものとする。
【０１０４】
また、図７において、軸方向Ｌに沿って右を先端とするとともに左を後端とし、同様に、幅方向Ｗに沿って右を手前とするとともに左を奥とする。そして、図７において、高さ方向Ｈに沿って上側を上方、下側を下方とする。  
なお、この軸及び方向は、図８乃至図１１においても同様とする。
【０１０５】
ジョイントコネクタ付ワイヤーハーネス１ａは、図７に示すように、メインハーネス２５０とジョイントコネクタ１０ａとで構成する。なお、図８に示すように、ワイヤーハーネス１００はメインハーネス２５０とサブハーネス３５０とで構成する。
【０１０６】
ジョイントコネクタ１０ａは、メインハーネス２５０を接続する端子金具２０ａと、端子金具２０ａを収納するハウジング３０ａとで構成する。  
端子金具２０ａは、図９に示すように、メインハーネス２５０を接続する接続部であるメイン接続部２１と、サブハーネス３５０と接続するサブ接続部２２と、メイン接続部２１とサブ接続部２２とを連結する連結部２３ａとで構成する。
【０１０７】
連結部２３ａは、幅方向Ｗの手前側に形成されるメイン側連結部２３１ａと、メイン側連結部２３１ａの奥側端部から上下方向に延びるサブ側連結部２３２ｂとが背面から見て略Ｔ字状に構成されており、サブ側連結部２３２ｂの上方奥側端部及び下方奥側端部から軸方向Ｌの後端側に僅かに延設する２本の連結部２３３ａとで一体に構成している。  
なお、連結部２３３ａの幅方向Ｗの奥側に形成される面は、サブ接続部２２の一面と連結されている。
【０１０８】
ハウジング３０ａは、図８に示すように、ジョイントコネクタ付ワイヤーハーネス１におけるベース４０に対応するベース６０と、ジョイントコネクタ付ワイヤーハーネス１におけるカバー５０に対応するカバー７０と、ベース６０とカバー７０とを幅方向Ｗに向けて枢動可能をするヒンジ３１ａとで一体に構成しており、ヒンジ３１ａを枢動軸としてベース６０とカバー７０とを枢動することにより、ベース６０とカバー７０とを閉塞状態とすることができる（図７及び図８参照）。
【０１０９】
ベース６０は、軸方向Ｌの先端側及び後端側、幅方向Ｗの手前側の一部に開口を有する略直方体形状をした中空状の箱体であり、底面を形成するベース底面６１と、ベース底面の幅方向Ｗの手前側端部から立設するベース手前側面６２と、ベース底面６１と対向するベース上面６３と、ベース底面６１の幅方向Ｗの奥側端部から立設するベース奥側面６４とで構成している。
【０１１０】
ベース６０の底面を形成するベース底面６１は、一枚の板状体であり、幅方向Ｗの両端からベース手前側面６２とベース奥側面６４とが垂直上方に立設する。  
ベース手前側面６２は、軸方向Ｌに延びる側面部で、軸方向Ｌの後端側端面がベース底面６１の後端側端面と一面を形成している。ベース手前側面６２の軸方向Ｌの長さが、ベース底面６１の軸方向Ｌの長さの６分の１程度の長さを有しており、先端側端部にはベース６０とカバー７０とを枢動するヒンジ３１ａが設けられている。
【０１１１】
ベース上面６３は、ベース底面６１と同じ大きさの板状体であり、軸方向Ｌの後端側における幅方向Ｗの手前側端部はベース手前側面６２と接続している。  
ベース奥側面６４は、ベース底面６１とベース上面６３の幅方向Ｗの奥側端部同士を接続する側面部である。なお、ベース奥側面６４の高さはベース手前側面６２の高さよりも若干低くなっている。すなわち、ベース上面６３はベース底面６１と平行でなく、軸方向Ｌ奥側に進むにつれてわずかにベース底面６１側に下がっている。
【０１１２】
また、ベース底面６１の略中央部分には、垂直上方に立設する空間形成壁６５が形成されている。詳述すると、空間形成壁６５は、ベース底面６１の中央やや奥側からベース上面６３まで垂直に立設する壁面であり、軸方向Ｌの長さがベース底面６１の長さよりも短く（図８（ｂ）参照）、板厚はベース底面６１の幅の半分程度である（図１０（ａ）参照）。
【０１１３】
また、空間形成壁６５の高さ方向Ｈの中央部分には、ベース奥側面６４の中央部分と架設するサブ空間形成壁６６が設けられている。なお、サブ空間形成壁６６はベース底面６１と平行に形成されている。  
さらに、空間形成壁６５の軸方向Ｌの中央より先端側には空間形成壁６５とベース奥側面６４とを連結するブロック体６７が設けられている。
【０１１４】
ブロック体６７は、図１０（ａ）に示すように、空間形成壁６５の軸方向Ｌの中央部分から先端部分において、空間形成壁６５からベース奥側面６４側に垂直に突出する直方体６７１と、ベース手前側面６２側に向けて略円弧上に突出した略半円柱体６７２とを組み合わせた形状をしている。換言すると、ブロック体６７は平面視略Ｐ字状の柱体である。
【０１１５】
直方体６７１の高さは空間形成壁６５の高さと等しく、幅方向Ｗの長さはサブ側連結部２３２ａの長さと同じ長さを有している。  
略半円柱体６７２は、高さ方向Ｈ中央部分にメイン接続部２１と略同じ幅の円柱体側凹部６７２ｈを備えており、円柱体側凹部６７２ｈは後述する板状凸部６７３及び第一凹部６７４と連結している。
【０１１６】
このような外径を有するブロック体６７は、直方体６７１からベース上面６３側に向けて突出する板状凸部６７３と、略半円柱体６７２の先端側端面に形成される第一凹部６７４と、直方体６７１の先端側端面に形成される第二凹部６７５と、直方体６７１の幅方向Ｗの奥側端面からベース奥側面６４側に軸方向Ｌに沿って突出する貫通孔形成凸部６７６とで構成されている。
【０１１７】
板状凸部６７３は、直方体６７１の手前側の端面中央部分からベース上面６３側に突出する突出部であり、その幅の長さはメイン接続部２１の幅よりもわずかに長く、その板厚はベース底面６１の板厚と略同じである。また、板状凸部６７３は、直方体６７１の軸方向Ｌ先端まで伸びて円柱体側凹部６７２ｈと連結している。
【０１１８】
第一凹部６７４は、図１０に示すように、略半円柱体６７２の先端側の端面に形成される凹部であり、その高さ方向Ｈに対する長さ及び深さは、それぞれメイン側連結部２３１ａの高さ方向Ｈに対する幅及び板厚よりもわずかに長い構成である。
【０１１９】
第二凹部６７５は、直方体６７１の先端側端面に形成される凹部であり、その高さ方向Ｈに対する長さ及び深さは、それぞれサブ側連結部２３２ａの高さ方向Ｈに対する幅及び板厚よりもわずかに長い構成である。
【０１２０】
貫通孔形成凸部６７６は、直方体６７１の奥側に形成される端面の高さ方向Ｈに対する中央部分からベース奥側面６４側に突出する凸部であり、ベース奥側面６４と連結している。また、貫通孔形成凸部６７６の高さ方向Ｈに対する長さは端子金具２０ａにおけるサブ接続部２２同士の間隔よりも一回り短い。換言すると、貫通孔形成凸部６７６の高さ方向Ｈの両端には、サブ接続部２２と挿入可能な挿入孔６７７が形成される。  
このような構成を有するベース６０は、図８に示すように、幅方向Ｗの手前側及び軸方向Ｌの先端側が開口された開口空間Ｓｏが形成される。
【０１２１】
カバー７０は、図８に示すように、ハウジング３０ａの開放状態において、ヒンジ３１ａを介してベース手前側面６２と連結するカバー手前側面部７１と、カバー手前側面部７１の手前側端部から軸方向Ｌの先端側に延びるカバー先端側面７２と、カバー７０の上面を形成する上面ブロック７３と、カバー７０の底面を形成する底面ブロック７４とで構成する。
【０１２２】
カバー手前側面部７１は、図８に示すように、ベース手前側面６２の同じ幅高さを有する板状体であって、ハウジング３０開放状態におけるカバー手前側面部７１の幅方向Ｗに対する長さは、ベース手前側面６２の軸方向Ｌの長さと合わせてベース底面６１の軸方向Ｌの長さと等しくなるように構成されている。
【０１２３】
カバー先端側面７２は、カバー手前側面部７１よりも二回り以上の板厚を有しており、高さ方向Ｈの長さはベース手前側面６２の高さ方向Ｈの長さと等しく、軸方向Ｌの長さはベース底面６１の幅方向Ｗの長さと略等しい長さを有している。すなわち、７２の高さ方向Ｈに対する長さは、幅方向Ｗの奥側におけるベース底面６１とベース上面６３との間隔よりもわずかに大きい構成である。
【０１２４】
上面ブロック７３は、図８（ｂ）に示すように、カバー手前側面部７１の後端側やや中央寄りの位置から垂直方向に突出する板状体であり、その幅方向Ｗに対する長さはベース手前側面６２と空間形成壁６５との間隔と等しい。
【０１２５】
このような上面ブロック７３は、図１０（ｂ）に示すように、幅方向Ｗの奥側に形成される第一上面部７３１と、幅方向Ｗ手前側に形成される第二上面部７３２とで構成されており、第二上面部７３２の手前側には、上面半円状凹部７３３が形成されている。
【０１２６】
また、第一上面部７３１の板厚は、カバー先端側面７２の板厚と略等しく、第二上面部７３２の板厚は中央よりも手前側においてはカバー先端側面７２の板厚の約２倍の厚さを有する。  
上面半円状凹部７３３は、図８（ｂ）に示すように、第二上面部７３２の幅方向Ｗの手前側形成された略半円柱体６７２と略同形の半円状の窪みである。
【０１２７】
底面ブロック７４は、図８（ｂ）に示すように、上面ブロック７３を幅方向Ｗと軸方向Ｌとが形成する仮想対称面（図示省略）に対して面対称の形状であり、上面ブロック７３と同様に、幅方向Ｗの奥側に形成される第一底面部７４１と、幅方向Ｗ手前側に形成される第二底面部７４２とで構成され、幅方向Ｗの手前側には、略半円柱体６７２と略同形の半円状の窪みである底面半円状凹部７４３が形成されている。
【０１２８】
第一上面部７３１と第一上面部７３１との間隔は、メインハーネス２５０の外径よりも一回り大きく、第二上面部７３２と第二上面部７３２との間隔は、板状凸部６７３の高さ方向Ｈに対する長さよりもわずかに長い構成である。
【０１２９】
このような構成を有するベース６０とカバー７０とは、ヒンジ３１ａを回転軸として枢動することによりカバー７０がベース６０の開口部位と嵌合して、ハウジング３０ａの閉塞状態を形成する。
【０１３０】
詳述すると、ベース手前側面６２とカバー手前側面部７１とは高さ方向Ｈに対する長さが等しく、また、図８（ｂ）において、ベース手前側面６２の軸方向Ｌの長さとカバー手前側面部７１の幅方向Ｗに対する長さの和が、ベース底面６１の軸方向Ｌの長さに等しい。さらに、カバー先端側面７２の大きさは、ベース底面６１とベース上面６３とベース奥側面６４とが軸方向Ｌの先端側に形成する面の大きさと略等しい。したがって、ヒンジ３１を回転軸としてカバー７０を幅方向Ｗに向けて枢動することによりベース６０の開口部にカバー７０を嵌合する。
【０１３１】
この際、カバー先端側面７２の高さ方向Ｈの長さは、幅方向Ｗの奥側におけるベース底面６１及びベース上面６３の間隔よりもわずかに長い構成とすることで、ベース６０とカバー７０とを嵌合する際には、カバー先端側面７２を圧入して固定することができる。
【０１３２】
また、ハウジング３０ａの閉塞状態において、上面半円状凹部７３３及び底面半円状凹部７４３に略半円柱体６７２が嵌合するとともに、第二上面部７３２と第二上面部７３２との間に板状凸部６７３が配置されるため、ベース６０とカバー７０との間には隙間が生じない。
【０１３３】
このようにベース６０とカバー７０とを嵌合させたハウジング３０は、ベース底面６１と、ベース手前側面６２及びカバー手前側面部７１で形成する側面と、カバー先端側面７２と、空間形成壁６５とで、メインハーネス２５０を接続するメイン接続部２１を収容するメイン収容空間Ｓｍを形成し、その先端側にはメインハーネス２５０を延出するメイン開口３２ａが形成される（図７参照）。なお、メイン収容空間Ｓｍと開口空間Ｓｏとは連通している。
【０１３４】
同様に、ベース奥側面６４と空間形成壁６５とサブ空間形成壁６６と直方体６７１とで、サブハーネス３５０の先端側に配置されたベース４０を挿入して接続するサブ接続部２２を収納するサブ収容空間Ｓａを形成し、その先端側にはサブハーネス３５０の挿入を許容するサブ開口３３ａが形成される（図７参照）。  
また、板状凸部６７３と第一凹部６７４と第二凹部６７５とカバー先端側面７２とで囲まれた空間内に連結部２３を収容する連結部収容空間Ｓｃが形成される。
【０１３５】
次に、このような構成を有するハウジング３０ａに対して、端子金具２０を接続する方法について、図１１に基づいて簡単に説明する。  
まず、図１１（ａ）に示すように、メインハーネス２５０と接合した端子金具２０ａを、連結部２３ａが先端となるとともにサブ接続部２２が幅方向Ｗの奥側を向くように配置し、端子金具２０ａをヒンジ３１ａから軸方向Ｌの先端側に挿通させて、開口空間Ｓｏに移動させる。
【０１３６】
次に、図１１（ｂ）に示すように、サブ接続部２２がブロック体６７７の位置となるように端子金具２０ａの位置を調整し、軸方向Ｌの後端側に移動させてサブ接続部２２をブロック体６７７に貫通させる。
【０１３７】
この際、メイン接続部２１が板状凸部６７３と当接するとともに、メイン側連結部２３１ａ及びサブ側連結部２３２ａは第一凹部６７４及び第二凹部６７５に嵌合する。すなわち端子金具２０が連結部収容空間Ｓｃに収納されることとなる（図１１（ｃ）参照）。  
これにより、端子金具２０の軸方向Ｌの後端側への移動がブロック体６７によって規制されることとなるとともに、メインハーネス２５０がメイン収容空間Ｓｍに収納されることとなる。
【０１３８】
そして、カバー７０を枢動させてベース６０と嵌合させてハウジング３０ａを閉塞状態とすることにより、開口空間Ｓｏが閉塞されるとともに、カバー先端側面７２によって端子金具２０の軸方向Ｌの先端側への移動が規制されることとなる。
【０１３９】
最後に、開口３２ａからボックス部４８０を挿入することで、サブ接続部２２と接続片４８２とが嵌合して強固に接続できるとともに、サブ収容空間Ｓａにボックス部４８０を収納することができる。
【０１４０】
これにより、ワイヤーハーネス１００が接続される端子金具２０ａと、端子金具２０ａを収容する収容空間を有するハウジング３０ａとで構成されたジョイントコネクタ１０ａであって、端子金具２０ａは、メインハーネス２５０が接続される軸方向Ｌに沿ったメイン接続部２１と、サブハーネス３５０が接続されるサブ接続部２２と、メイン接続部２１及びサブ接続部２２を連結し、軸方向Ｌに交差する幅方向Ｗに沿った連結部２３ａとで構成され、収容空間は、軸方向Ｌに延びるとともに、一方側の端部が開口したメイン接続部２１を収容するメイン収容空間Ｓｍと、サブ接続部２２を収容するサブ収容空間Ｓａと、交差方向に延びるとともに、メイン収容空間Ｓｍ及びサブ収容空間Ｓａと連通し、連結部２３ａを収容する連結部収容空間Ｓｃとで構成され、ハウジング３０ａは、ベース６０とカバー７０とで構成されるとともに、カバー７０を挟み込んでベース６０に固定するベース底面６１及びベース上面６３と、連結部収容空間Ｓｃに配置される連結部２３ａの軸方向の移動を規制するブロック体６７及びカバー先端側面７２とを備えていることを特徴とすることにより、端子金具２０ａの収容状態において、端子金具２０ａがハウジング３０ａから離脱することを確実に防止できる。
【０１４１】
詳述すると、端子金具２０ａの収容状態において、幅方向Ｗの連結部２３ａが、連結部収容空間Ｓｃに配置されるとともに、ブロック体６７及びカバー先端側面７２によって軸方向Ｌの移動が規制され、またベース６０にカバー７０を固定することで、端子金具２０ａを収容する収容経路が封鎖されることとなる。このため、ハウジング３０ａから端子金具２０ａが離脱することを確実に防止できる。
【０１４２】
また、ベース６０に、メイン収容空間Ｓｍと連通するとともに、軸方向Ｌの先端側おいて開口し、カバー７０によって閉塞される開口空間Ｓｏが形成され、ベース６０に設けたブロック体６７と、カバー７０に設けたカバー先端側面７２と連結部２３の軸方向Ｌに沿った移動を規制する構成とされていることにより、端子金具２０ａがハウジング３０ａから抜け出ることを確実に防止することができる。
【０１４３】
詳述すると、メインハーネス２５０を接続した端子金具２０ａを、軸方向Ｌの一方側の端部に設けた開口から開口空間Ｓｏに引き出すことができ、引き出された連結部２３を軸方向Ｌの他方側から連結部収容空間Ｓｃに収容できるとともに、ブロック体６７により軸方向の一方側の移動を規制することができる。したがって、端子金具２０がハウジング３０の軸方向Ｌの一方側から抜け出ることをより確実に防止できる。
【０１４４】
また、開口空間Ｓｏをカバー７０で閉塞することにより、端子金具２０の軸方向Ｌの他方側への移動をカバー先端側面７２で規制することができ、端子金具２０を軸方向Ｌの他方側から抜け出ることを防止できる。
したがって、端子金具２０ａがハウジング３０ａから抜け出ることを確実に防止することができる。
【０１４５】
さらに、ベース６０からカバー７０を取り外して端子金具２０ａを収容することができるため、端子金具２０ａを収容するための挿入口をハウジング３０ａに別途設ける必要がない。すなわち、ハウジング３０ａに開口部分を減少でき、ハウジング３０ａの防水性や防塵性を向上することができる。
【０１４６】
このようにジョイントコネクタ１０ａは、端子金具２０ａの収容状態において、端子金具２０ａがハウジング３０ａから離脱することを確実に防止できるだけでなく、容易に端子金具２０ａをハウジング３０ａに収容することができるとともに、ハウジング３０ａの防水性や防塵性を向上することができる。
【０１４７】
また、開口空間Ｓｏを閉塞することにより、カバー先端側面７２が端子金具２０ａの軸方向の先端側への移動を規制することができ、端子金具２０ａを軸方向先端側から抜け出ることを防止できる。
【０１４８】
さらにまた、カバー７０の大きさをベース６０の大きさと同じ大きさとする必要がないため、狭いスペースに配置されたジョイントコネクタ１０ａであってもカバー７０を取り外すことができる。
【０１４９】
また、ベース６０とカバー７０とを枢動可能に連結するヒンジ３１ａを備えることにより、カバー７０をベース６０側に枢動することでベース６０とカバー７０とを固定することができる。すなわち、容易かつ確実にベース６０とカバー７０とを固定することができる。
【０１５０】
また、ベース６０は、略直方体形状であり、開口空間Ｓｏにおける開口が、略直方体形状における軸方向Ｌの先端側の側面（閉塞状態におけるカバー先端側面７２）と幅方向Ｗの側面（閉塞状態におけるカバー手前側面部７１）とに亘って形成され、枢動軸が軸方向Ｌ及び幅方向Ｗに直交する方向（高さ方向）に沿ったヒンジ３１ａがベース手前側面６２の先端側に設けられたことにより、容易に変形しない強固なハウジング３０ａを形成することができる。
【０１５１】
詳述すると。ベース６０は、軸方向Ｌの先端側の側面と幅方向Ｗの側面とに亘って開口が形成された略直方体形状を構成されている。一方で、カバー７０は開口空間Ｓｏを閉塞する構成であることから、カバー７０は、軸方向Ｌの先端側の側面と幅方向Ｗの手前側側面に対応する二面を形成することとなる。
【０１５２】
ベース６０の開口空間Ｓｏをカバー７０で閉塞した閉塞状態において、カバー７０を形成する二面であるカバー手前側面部７１及びカバー先端側面７２が、ベース６０の開口する二面を形成するため、閉塞状態において容易に変形しない強固なハウジング３０ａを形成することができる。すなわちカバー７０は略直方体形状のベース６０と嵌合することでベース６０の側面を形成するため、ベース６０とカバー７０とで構成されるハウジング３０ａは、別々のベースとカバーとを組み付けただけの構成と比べて強固な構造とすることができる。  
したがって、ハウジング３０ａに外力が作用した場合であっても、ハウジング３０ａに隙間ができることを防止できるとともに、ベース６０とカバー７０とが開くことを防止できる。
【０１５３】
また、ジョイントコネクタ付ワイヤーハーネス１を、ジョイントコネクタ１０と、先端がメイン収容空間Ｓｍに配置されるとともに、メイン接続部２１と電気的に接続されるとともに、メイン開口３２から延出されたメインハーネス２５０とで構成することより、サブハーネス３５０を容易にジョイントコネクタ付ワイヤーハーネス１に接続することができる。
【０１５４】
これにより、メインハーネス２５０を接続した場所と異なる場所でサブハーネス３５０をワイヤーハーネス付ジョイントコネクタ１ａに接続することができるため、例えば、主要回路を形成するメインハーネス２５０と接続したワイヤーハーネス付ジョイントコネクタ１ａを組み立てた後に、仕様に応じた工場などに搬送し、サブハーネス３５０をワイヤーハーネス付ジョイントコネクタ１に接続することができる。  
したがって、容易にサブハーネス３５０をワイヤーハーネス付ジョイントコネクタ１ａに接続できるとともに、製造のための管理や製造コストを削減することができる。
【０１５５】
さらにまた、メインハーネス２５０のメイン接続部２１は、通常ジョイントキャップなどで保護されるが、本実施形態においては、メイン接続部２１がジョイントコネクタの一部を構成しているため、ジョイントキャップを省略することができ、ワイヤーハーネス全体としての部品点数を削減することができる。
【０１５６】
さらにまた、メイン接続部２１とサブ接続部２２とを軸方向Ｌに沿って並走する構成とすることにより、例えばジョイントコネクタ１０ａにサブハーネス３５０を接続したジョイントコネクタ付ワイヤーハーネス１ａにおいて、ワイヤーハーネス１００に幅方向Ｗに沿った外力が作用しても、ベース６０ａの先端側側面であるベース手前側面６２が幅方向Ｗへの移動を規制することができるため、ワイヤーハーネス１００がカバー７０を内部から押すことがなく、カバー７０がベース６０から外れることがない。
【０１５７】
また、ワイヤーハーネス１００に軸方向Ｌに沿った外力が作用しても、ワイヤーハーネス１００は可撓性を有しているため、外力がワイヤーハーネス１００を伝ってカバー先端側面７２を押すことがない。すなわち軸方向Ｌに沿った外力により、カバー７０がベース６０から外れることがない。  
このようにジョイントコネクタ付ワイヤーハーネス１ａ及びジョイントコネクタ１０ａは、ベース６０とカバー７０との固定状態を容易に解除することができない構成である。
【０１５８】
この発明の構成と、上述の実施形態との対応において、
固定手段は、被係止部４７及び係止片５７またはベース底面６１及びベース上面６３に対応し、
規制手段は、ベース側空間形成壁４５及び軸方向移動規制部４６またはブロック体６７及びカバー先端側面７２に対応し、
枢動部は、ヒンジ３１またはヒンジ３１ａに対応し、
ベース側規制手段は、ブロック体６７に対応し、
カバー側規制手段は、カバー先端側面７２に対応するが、
この発明は、上述の実施形態の構成のみに限定されるものではなく、多くの実施の形態を得ることができる。
【０１５９】
たとえば、第１実施形態では被係止部４７及び係止片５７の係止によりベース４０とカバー５０とを固定しており、第２実施形態では圧入によりベース４０とカバー５０とを固定しているが、必ずしもこの構成に限るものではなく、例えば。実施形態２に係合手段を設けても良いし、ゴムや紐などの他部材を取付けることにより固定してもよい。また、これらを組み合わせて固定する構成としてもよく、この場合には、より強固な固定状態を実現することができる。
【０１６０】
また、メイン開口３２やサブ開口３３の開口口に例えばシリコン剤などの防水手段を設けることにより、ハウジング３０の内部に水分が侵入すること防止できる。これにより、例えばメイン接続部２１と接続する電線束２５１と端子金具２０との間の電食などを防止することができる。
【０１６１】
また、実施形態１において、ハウジング３０を構成するベース４０とカバー５０とを連接する接続部をヒンジ３１としているが、一体として形成される必要はなく、例えば、ベース４０とカバー５０とを蝶番などで枢動可能に形成してもよい。
【符号の説明】
【０１６２】
１      ジョイントコネクタ付ワイヤーハーネス
１０    ジョイントコネクタ
２０    端子金具
２１    メイン接続部
２１０  接続ベース
２１１  第一接続帯
２１２  第二接続帯
２２    サブ接続部
２３    連結部
３０    ハウジング
３１    ヒンジ
３２    メイン開口
３３    サブ開口
４０    ベース
４１    ベース底面
４２    ベース手前側面
４２１  嵌合凹部
４３    ベース後端側面
４４    ベース奥側面
４５      ベース側空間形成壁
４６      軸方向移動規制部
４７      被係止部
５０      カバー
５１      カバー上面部
５２      カバー手前側面
５３      カバー後端側面
５４      カバー奥側面
５４１    嵌合凸部
５５      カバー空間形成壁
５６      案内凹部
５７          係止片
５７１      支持板
５７２      係止突部
６０          ベース
６１          ベース底面
６２          ベース手前側面
６３          ベース上面
６４          ベース奥側面
６５          空間形成壁
６６          サブ空間形成壁
６７          ブロック体
６７１      直方体
６７２      半円柱体
６７２ｈ  円柱体側凹部
６７３      板状凸部
６７４      第一凹部
６７５      第二凹部
６７６      貫通孔形成凸部  
７０          カバー
７１          カバー手前側面部
７２          カバー先端側面
７３          上面ブロック
７４          底面ブロック
１００      ワイヤーハーネス
２５０      メインハーネス
２５１      導線束
３５０      サブハーネス
Ｓｍ          メイン収容空間
Ｓａ          サブ収容空間
Ｓｃ          連結部収容空間
Ｓｏ          開口空間
【図１】
2017084580.tif 000003
【図２】
2017084580.tif 000004
【図３】
2017084580.tif 000005
【図４】
2017084580.tif 000006
【図５】
2017084580.tif 000007
【図６】
2017084580.tif 000008
【図７】
2017084580.tif 000009
【図８】
2017084580.tif 000010
【図９】
2017084580.tif 000011
【図１０】
2017084580.tif 000012
【図１１】
2017084580.tif 000013